(57)【要約】【課題】複数本のケーブルを容易に識別可能に一束化することができるコイル状ハンガーおよびコイル状ハンガー製造方法を提供する。【解決手段】支持物間に架設されたメッセンジャーワイヤ２０に敷設して複数のケーブル（たとえば、第１の加入者用光ケーブル３１1、第２の加入者用光ケーブル３１2、中継用光ケーブル３２および光ドロップケーブル３３）を一束化するために用いられるコイル状ハンガー１０であって、メッセンジャーワイヤ２０の架設方向に沿って見ると、コイル状ハンガー１０内の空間がコイル状ハンガー１０の素線１によって第１乃至第５の領域Ａ1〜Ａ5に分割されている。【選択図】図１
2008043085.tif 000002
【特許請求の範囲】
【請求項１】
支持物間に架設されたメッセンジャーワイヤ（２０）に敷設して複数本のケーブル（３１1，３１2，３２，３３；４１〜４３；５１1〜５１3；６１〜６３；７１〜７４）を一束化するために用いられるコイル状ハンガー（１０）であって、
前記メッセンジャーワイヤの架設方向に沿って見ると、前記コイル状ハンガー内の空間が該コイル状ハンガーの素線（１）によって複数の領域（Ａ1〜Ａ5）に分割されていることを特徴とする、コイル状ハンガー。
【請求項２】
前記複数の領域の数が“５”であることを特徴とする、請求項１記載のコイル状ハンガー。
【請求項３】
前記素線が、外円と、前記メッセンジャーワイヤの架設方向に沿って見ると右端が前記外円の右端と重なる右側内円と、前記メッセンジャーワイヤの架設方向に沿って見ると左端が前記外円の左端と重なりかつ前記右側内円と一部が重なる左側内円とを作るように、コイル状に巻かれており、
前記複数の領域が、
前記外円の上半分のうちの前記右側内円および前記左側内円と重ならない空間である第１の領域（Ａ1）と、
前記右側内円のうちの前記左側内円と重ならない空間である第２の領域（Ａ2）と、
前記左側内円のうちの前記右側内円と重ならない空間である第３の領域（Ａ3）と、
前記右側内円と前記左側内円とが重なった空間である第４の領域（Ａ4）と、
前記外円の下半分のうちの前記右側内円および前記左側内円と重ならない空間である第５の領域（Ａ5）とからなる、
ことを特徴とする、請求項２記載のコイル状ハンガー。
【請求項４】
前記右側内円および前記左側内円の直径が、前記外円の直径よりも短くかつ該外円の半径よりも長いことを特徴とする、請求項２または３記載のコイル状ハンガー。
【請求項５】
前記右側内円および前記左側内円の直径が、前記外円の直径の２／３であることを特徴とする、請求項４記載のコイル状ハンガー。
【請求項６】
前記メッセンジャーワイヤが、前記コイル状ハンガー内の前記第１の領域に通され、
前記複数のケーブルが、識別可能に前記コイル状ハンガー内の前記第２乃至第５の領域にそれぞれ通される、
ことを特徴とする、請求項３乃至５いずれかに記載のコイル状ハンガー。
【請求項７】
支持物間に架設されたメッセンジャーワイヤ（２０）に敷設して複数本のケーブル（３１1，３１2，３２，３３；４１〜４３；５１1〜５１3；６１〜６３；７１〜７４）を一束化するために用いられるコイル状ハンガー（１０）を該コイル状ハンガーの素線（１）をコイル状に巻いて製造するためのコイル状ハンガー製造方法であって、
外円を作るように前記素線を巻く第１の工程と、
前記メッセンジャーワイヤの架設方向に沿って見ると右端が前記外円の右端と重なる右側内円を作るように前記素線を巻く第２の工程と、
前記メッセンジャーワイヤの架設方向に沿って見ると左端が前記外円の左端と重なりかつ前記右側内円と一部が重なる左側内円を作るように前記素線を巻く第３の工程と、
を具備することを特徴とする、コイル状ハンガー製造方法。
【請求項８】
前記第２および第３の工程において、前記右側内円および前記左側内円の直径が前記外円の直径よりも短くかつ該外円の半径よりも長くなるように前記素線を巻くことを特徴とする、請求項７記載のコイル状ハンガー製造方法。
【請求項９】
前記第２および第３の工程の間に、他の外円を作るように前記素線を巻く工程をさらに具備することを特徴とする、請求項７または８記載のコイル状ハンガー製造方法。
【発明の詳細な説明】
【技術分野】
【０００１】
本発明は、コイル状ハンガーおよびコイル状ハンガー製造方法に関し、特に、支持物間に架設されたメッセンジャーワイヤに敷設して複数本のケーブルを一束化するのに好適なコイル状ハンガーおよびコイル状ハンガー製造方法に関する。
【背景技術】
【０００２】
従来、複数本のケーブル（光ファイバケーブル、メタル通信ケーブルおよび電力ケーブルなど）を一束化して支持物（電柱など）間に敷設するために、下記の特許文献１などに記載されているスパイラル型ハンガーや下記の特許文献２などに記載されているコイル状ハンガーが用いられている。
【０００３】
また、一束化される複数本のケーブルは、たとえば加入者用光ケーブル、局舎間の中継用光ケーブルおよび光ドロップケーブルのようにその用途が異なる場合や、ケーブル維持管理会社が異なる場合や、架設する複数の線種が同じなので、すぐには判断がつかない場合がある。
【特許文献１】特開２００６−１４９１１４号公報
【特許文献２】特開平１１−１９７４１号公報
【特許文献３】特開２００３−３３３７３６号公報
【発明の開示】
【発明が解決しようとする課題】
【０００４】
しかしながら、従来のコイル状ハンガー１００は、図９に示すように、メッセンジャーワイヤ２０の架設方向（以下、「メッセンジャーワイヤ架設方向」と称する。）に沿って見たときにコイル状ハンガー１００の開口面１１１が円となるように素線１０１（たとえば、上記の特許文献３に記載されているような合成樹脂からなる太物単線や撚り線などの線状材）を複数回コイル状に巻いて製造されているため、コイル状ハンガー１００によって一束化されている第１乃至第３のケーブル１３１1〜１３１3がどの用途またはどのケーブル維持管理会社のものであるのかを容易に判別することができないという問題があった。
このような問題を解決する方法として、第１乃至第３のケーブル１３１1〜１３１3にその用途などを表示した表示札を取り付けておく方法が考えられるが、表示札が劣化したり表示札の取付けを忘れたりすると、第１乃至第３のケーブル１３１1〜１３１3の用途などを判別することができなくなるという問題がある。
【０００５】
本発明の目的は、複数本のケーブルを容易に識別可能に一束化することができるコイル状ハンガーおよびコイル状ハンガー製造方法を提供することにある。
【課題を解決するための手段】
【０００６】
本発明のコイル状ハンガーは、支持物間に架設されたメッセンジャーワイヤ（２０）に敷設して複数本のケーブル（３１1，３１2，３２，３３；４１〜４３；５１1〜５１3；６１〜６３；７１〜７４）を一束化するために用いられるコイル状ハンガー（１０）であって、前記メッセンジャーワイヤの架設方向に沿って見ると、前記コイル状ハンガー内の空間が該コイル状ハンガーの素線（１）によって複数の領域（Ａ1〜Ａ5）に分割されていることを特徴とする。
ここで、前記複数の領域の数が“５”であってもよい。
前記素線が、外円と、前記メッセンジャーワイヤの架設方向に沿って見ると右端が前記外円の右端と重なる右側内円と、前記メッセンジャーワイヤの架設方向に沿って見ると左端が前記外円の左端と重なりかつ前記右側内円と一部が重なる左側内円とを作るように、コイル状に巻かれており、前記複数の領域が、前記外円の上半分のうちの前記右側内円および前記左側内円と重ならない空間である第１の領域（Ａ1）と、前記右側内円のうちの前記左側内円と重ならない空間である第２の領域（Ａ2）と、前記左側内円のうちの前記右側内円と重ならない空間である第３の領域（Ａ3）と、前記右側内円と前記左側内円とが重なった空間である第４の領域（Ａ4）と、前記外円の下半分のうちの前記右側内円および前記左側内円と重ならない空間である第５の領域（Ａ5）とからなってもよい。
前記右側内円および前記左側内円の直径が、前記外円の直径よりも短くかつ該外円の半径よりも長くてもよい。
前記右側内円および前記左側内円の直径が、前記外円の直径の２／３であってもよい。
前記メッセンジャーワイヤが、前記コイル状ハンガー内の前記第１の領域に通され、前記複数のケーブルが、識別可能に前記コイル状ハンガー内の前記第２乃至第５の領域にそれぞれ通されてもよい。
【０００７】
本発明のコイル状ハンガー製造方法は、支持物間に架設されたメッセンジャーワイヤ（２０）に敷設して複数本のケーブル（３１1，３１2，３２，３３；４１〜４３；５１1〜５１3；６１〜６３；７１〜７４）を一束化するために用いられるコイル状ハンガー（１０）を該コイル状ハンガーの素線（１）をコイル状に巻いて製造するためのコイル状ハンガー製造方法であって、外円を作るように前記素線を巻く第１の工程と、前記メッセンジャーワイヤの架設方向に沿って見ると右端が前記外円の右端と重なる右側内円を作るように前記素線を巻く第２の工程と、前記メッセンジャーワイヤの架設方向に沿って見ると左端が前記外円の左端と重なりかつ前記右側内円と一部が重なる左側内円を作るように前記素線を巻く第３の工程とを具備することを特徴とする。
ここで、前記第２および第３の工程において、前記右側内円および前記左側内円の直径が前記外円の直径よりも短くかつ該外円の半径よりも長くなるように前記素線を巻いてもよい。
前記第２および第３の工程の間に、他の外円を作るように前記素線を巻く工程をさらに具備してもよい。
【発明の効果】
【０００８】
本発明のコイル状ハンガーおよびコイル状ハンガー製造方法は、以下に示す効果を奏する。
（１）コイル状ハンガーをメッセンジャーワイヤ架設方向に沿って見たときにコイル状ハンガー内の空間がコイル状ハンガーの素線によって複数の領域に分割されているので、複数のケーブルを領域ごとに敷設することにより、複数本のケーブルを容易に識別可能に一束化することができる。
（２）コイル状ハンガーの素線によって分割された複数の領域にケーブル識別機能を持たせることによりケーブルの取付けを容易に行うことができるので、ケーブル取付工事の作業効率を向上させることができる。
（３）各ケーブルとメッセンジャーワイヤとの間にコイル状ハンガーの素線が介在するので、メッセンジャーワイヤからケーブルを保護することができる。
【発明を実施するための最良の形態】
【０００９】
上記の目的を、メッセンジャーワイヤ架設方向に沿って見るとコイル状ハンガー内の空間が複数の領域に分割されるようにコイル状ハンガーの素線をコイル状に巻いていくことにより実現した。
【実施例１】
【００１０】
以下、本発明のコイル状ハンガーおよびコイル状ハンガー製造方法の実施例について、図面を参照して説明する。
本発明の一実施例によるコイル状ハンガー１０は、図１に示すように、メッセンジャーワイヤ架設方向（コイル状ハンガー１０の開口面１１に垂直な方向）に沿って見るとコイル状ハンガー１０内の空間がコイル状ハンガー１０の素線１によって第１乃至第５の領域Ａ1〜Ａ5に分割されている点で、図９に示した従来のコイル状ハンガー１００と異なる。
【００１１】
すなわち、以下に説明するように外円を挟んで右側内円および左側内円を順次作るように素線１をコイル状に巻いてコイル状ハンガー１０を製造することにより、メッセンジャーワイヤ架設方向に沿って見るとコイル状ハンガー１０内の空間が素線１によって第１乃至第５の領域Ａ1〜Ａ5に分割されている。
【００１２】
まず、図２（ａ）に示すように、コイル状ハンガー１０の素線１を点ａ（第１の外円の右端）から点ｂを通って時計回りに１回だけ巻いて、直径（点ａと点ｂとの間の距離）が６ｃｍ以下である第１の外円を作る。なお、第１の外円内の面がコイル状ハンガー１０の開口面１１となる。
【００１３】
続いて、図２（ｂ）に示すように、素線１を点ａから時計回りに１回だけ第１の外面よりも紙面の奥に巻いて、第１の右側内円を作る。このとき、第１の右側内円の直径は、第１の外円の直径よりも短くかつ第１の外円の半径よりも長くする（好ましくは、第４の領域Ａ4を十分に確保するために、第１の外円の直径の２／３とする。）。
なお、メッセンジャーワイヤ架設方向に沿って見ると、第１の右側内円の右端は点ａの紙面奥側になる。
【００１４】
続いて、図２（ｃ）に示すように、素線１を点ａから点ｂを通って時計回りに１回半だけ第１の右側内円よりも紙面の奥に巻いて、第１の外円の直径と等しい直径の第２の外円を作る。すなわち、メッセンジャーワイヤ架設方向に沿って見ると第１の外円と重なるように、第２の外円を作る。
なお、メッセンジャーワイヤ架設方向に沿って見ると、第２の外円の右端および左端はそれぞれ点ａおよび点ｂの紙面奥側になる。
【００１５】
続いて、図２（ｄ）に示すように、素線１を点ｂから時計回りに１回だけ第２の外円よりも紙面の奥に巻いて、第１の左側内円を作る。このとき、第１の左側内円の直径は、第１の右側内円の直径と同様に、第１の外円の直径よりも短くかつ第１の外円の半径よりも長くする（好ましくは、第４の領域Ａ4を十分に確保するために、第１の外円の直径の２／３とする。）。これにより、メッセンジャーワイヤ架設方向に沿って見ると、第１の右側内と第１の左側内円とはコイル状ハンガー１０の開口面１１の中央部で交差する。
なお、第１の左側内円の直径は好ましくは第１の内円の直径と等しくするが、メッセンジャーワイヤ架設方向に沿って見て第１の右側内と第１の左側内円とがコイル状ハンガー１０の開口面１１の中央部で交差すれば、第１の左側内円の直径は第１の内円の直径と等しくなくてもよい。
また、メッセンジャーワイヤ架設方向に沿って見ると、第１の左側内円の左端は点ｂの紙面奥側になる。
【００１６】
続いて、図２（ｅ）に示すように、素線１を点ｂから点ａを通って時計回りに１回半だけ第１の左側内円よりも紙面の奥に巻いて、第１の外円の直径と等しい直径の第３の外円を作る。すなわち、メッセンジャーワイヤ架設方向に沿って見て第１および第２の外円と重なるように、第３の外円を作る。
なお、メッセンジャーワイヤ架設方向に沿って見ると、第３の外円の右端および左端はそれぞれ点ａおよび点ｂの紙面奥側になる。
【００１７】
以降、同様にして第２の右側内円→第４の外円→第２の左側内円→第５の外円→第３の右側内円→第６の外円→第３の左側内円→・・・という順番で作るように、素線１をメッセンジャーワイヤ架設方向に沿ってコイル状に巻いていく。
【００１８】
これにより、メッセンジャーワイヤ架設方向に沿って見るとコイル状ハンガー１０内の空間が素線１によって第１乃至第５の領域Ａ1〜Ａ5に分割される。ここで、第１の領域Ａ1は外円の上半分のうちの右側内円および左側内円と重ならない空間であり、第２の領域Ａ2は右側内円のうちの左側内円と重ならない空間であり、第３の領域Ａ3は左側内円のうちの右側内円と重ならない空間であり、第４の領域Ａ4は右側内円と左側内円とが重なった空間であり、第５の領域Ａ5は外円の下半分のうちの右側内円および左側内円と重ならない空間である。
【００１９】
以上説明したように、コイル状ハンガー１０はメッセンジャーワイヤ架設方向に沿って見るとコイル状ハンガー１０内の空間が素線１によって第１乃至第５の領域Ａ1〜Ａ5に分割されているため、図３および図４に示すように、支持物間に架設されたメッセンジャーワイヤ２０を第１の領域Ａ1に通してコイル状ハンガー１０をメッセンジャーワイヤ２０に敷設したのち、第１の加入者用光ケーブル３１1を第２の領域Ａ2に通し、第２の加入者用光ケーブル３１2を第３の領域Ａ3に通し、中継用光ケーブル３２を第４の領域Ａ4に通し、光ドロップケーブル３３を第５の領域Ａ5に通すことにより、第１および第２の加入者用光ケーブル３１1，３１2と中継用光ケーブル３２と光ドロップケーブル３３とを用途別に一束化することができる。
【００２０】
また、図５に示すように、支持物間に架設されたメッセンジャーワイヤ２０を第１の領域Ａ1に通してコイル状ハンガー１０をメッセンジャーワイヤ２０に敷設したのち、Ａ社用ケーブル４１を第２の領域Ａ2に通し、Ｂ社用ケーブル４２を第３の領域Ａ3に通し、Ｃ社用ケーブル４３を第４の領域Ａ4に通すことにより、ケーブルを会社別に一束化することができる。
【００２１】
さらに、図６に示すように、支持物間に架設されたメッセンジャーワイヤ２０を第１の領域Ａ1に通してコイル状ハンガー１０をメッセンジャーワイヤ２０に敷設したのち、○○年に架設した第１の光ケーブル５１1を第２の領域Ａ2に通し、△△年に架設した第２の光ケーブル５１2を第３の領域Ａ3に通し、□□年に架設した第３の光ケーブル５１3を第４の領域Ａ4に通すことにより、光ケーブルを架設年別に一束化することができる。
【００２２】
また、図７に示すように、支持物間に架設されたメッセンジャーワイヤ２０を第１の領域Ａ1に通してコイル状ハンガー１０をメッセンジャーワイヤ２０に敷設したのち、Ｘ心光ケーブル６１を第２の領域Ａ2に通し、Ｙ心光ケーブル６２を第３の領域Ａ3に通し、Ｚ心光ケーブル６３を第４の領域Ａ4に通すことにより、光ケーブルを心線別に一束化することができる。また、領域を管理することにより、同一心線の光ケーブルでも区別することができる。
【００２３】
また、図８に示すように、支持物間に架設されたメッセンジャーワイヤ２０を第１の領域Ａ1に通してコイル状ハンガー１０をメッセンジャーワイヤ２０に敷設したのち、通信メタルケーブル７１を第２の領域Ａ2に通し、電力ケーブル７２を第３の領域Ａ3に通し、光ケーブル７３を第４の領域Ａ4に通し、放送用ケーブル７４を第５の領域Ａ5に通すことにより、一束化しながらも性質の異なるケーブルを区別することができる。
【００２４】
以上の説明では、図２に示したように素線１を時計回りにコイル状に巻いてコイル状ハンガー１０を製造したが、素線１を反時計回りにコイル状に巻いてコイル状ハンガー１０を製造してもよい。
また、メッセンジャーワイヤ架設方向に沿って見たときにコイル状ハンガー内の空間が第１乃至第５の領域Ａ1〜Ａ5に分割されるように右側内円および左側内円の直径を外円の直径よりも短くかつ外円の半径よりも長くしたが、右側内円および左側内円の直径を外円の半径よりも短くしてもよい。この場合には、メッセンジャーワイヤ架設方向に沿って見たときにコイル状ハンガー内の空間は、４つの領域（第４の領域Ａ4を除く第１、第２、第３および第５の領域Ａ1〜Ａ3，Ａ5）に分割される。
さらに、右側内円と左側内円との間に挿入される外円の数は１個としたが（図４参照）、２個以上としてもよい。
【図面の簡単な説明】
【００２５】
【図１】本発明の一実施例によるコイル状ハンガー１０の構成を説明するための図である。
【図２】図１に示したコイル状ハンガー１０の製造方法を説明するための図である。
【図３】図１に示したコイル状ハンガー１０を用いてケーブルを用途別に一束化した一例を示す図である。
【図４】図１に示したコイル状ハンガー１０を用いてケーブルを用途別に一束化した一例を示す図である。
【図５】図１に示したコイル状ハンガー１０を用いてケーブルを会社別に一束化した一例を示す図である。
【図６】図１に示したコイル状ハンガー１０を用いて光ケーブルを架設年別に一束化した一例を示す図である。
【図７】図１に示したコイル状ハンガー１０を用いて光ケーブルを心線別に一束化した一例を示す図である。
【図８】図１に示したコイル状ハンガー１０を用いてケーブルを性質別に一束化した一例を示す図である。
【図９】従来のコイル状ハンガー１００の構成を説明するための図である。
【符号の説明】
【００２６】
１，１０１  素線
１０，１００  コイル状ハンガー
１１，１１１  開口面
２０  メッセンジャーワイヤ
３１1，３１2  第１および第２の加入者用光ケーブル
３２  中継用光ケーブル
３３  光ドロップケーブル
４１  Ａ社用ケーブル
４２  Ｂ社用ケーブル
４３  Ｃ社用ケーブル
５１1〜５１3  第１乃至第３の光ケーブル
６１  Ｘ心光ケーブル
６２  Ｙ心光ケーブル
６３  Ｚ心光ケーブル
７１  通信メタルケーブル
７２  電力ケーブル
７３  光ケーブル
７４  放送用ケーブル
１３１1〜１３１3  第１乃至第３のケーブル
Ａ1〜Ａ5  第１乃至第５の領域
ａ，ｂ  点
【図１】
2008043085.tif 000003
【図２】
2008043085.tif 000004
【図３】
2008043085.tif 000005
【図４】
2008043085.tif 000006
【図５】
2008043085.tif 000007
【図６】
2008043085.tif 000008
【図７】
2008043085.tif 000009
【図８】
2008043085.tif 000010
【図９】
2008043085.tif 000011